(57)【要約】      （修正有）【課題】回転することにより印象深い表示装置を提示する。【解決手段】この映像表示装置１は表示パネル２を複数有する。これら複数の表示パネル２Ａ〜２Ｄを、回転軸７を互いに平行にしかつ表示画面２ａを互いに同一方向に向けた状態で並列配置する。表示制御器２１は、一つもしくは複数の表示パネル２Ａ〜２Ｄの表示画面２ａを覆う仮想映像αを設定したうえで、各表示画面２ａにおいてその表示パネル２Ａ〜２Ｄの各回転位置で表示される映像が、仮想映像αを乱すことなくその一部を構成するように、各表示パネル２Ａ〜２Ｄの表示画面２ａで表示する映像の表示制御を行う。【選択図】図５
2005070580.tif 000002
【特許請求の範囲】
【請求項１】
表示画面とこの表示画面の直交方向に沿う回転軸とを有する表示パネルと、
前記表示パネルの前記回転軸を軸支するケースと、
前記表示パネルを前記回転軸周りに回転させる回転機構と、
前記表示パネルに表示する映像の表示制御を行う表示制御器と、
前記回転機構の回転制御を行う回転制御器と、
を備え、
前記表示パネルは複数設けられ、これら複数の表示パネルは、前記回転軸を互いに平行にしかつ前記表示画面を互いに同一方向に向けた状態で並列配置され、
前記表示制御器は、一つもしくは複数の前記表示画面を覆う仮想映像を設定したうえで、これら一つもしくは複数の表示パネルの表示画面においてその表示パネルの各回転位置で表示される映像が、前記仮想映像を乱すことなくその一部を構成するように、各表示パネルの表示画面で表示する映像の表示制御を行うものである、
ことを特徴とする映像表示装置。
【請求項２】
請求項１に記載の映像表示装置において、
複数の前記表示パネルを、前記回転軸の軸方向から見たその回転軌跡が互いに重なりかつ前記回転軸の直交方向から見た前記回転軌跡が互いに重ならないように配置する、
ことを特徴とする映像表示装置。
【請求項３】
請求項１または２に記載の映像表示装置において、
前記回転軸はその周面に沿って環状電気接点が設けられ、前記ケースの回転軸軸支部にブラシ状電気接点が設けられ、
前記表示パネルの入出力端子を前記環状電気接点に電気接続したうえで、前記表示パネルの回転時、前記ブラシ状電気接点を前記環状電気接点に当接させることで、前記表示パネルとパネル外部との間で映像表示に関する各種信号の授受を行う、
ことを特徴とする映像表示装置。
【請求項４】
請求項１ないし３のいずれかに記載の映像表示装置において、
前記回転制御器は、前記仮想映像が設定される一つないし複数の前記表示パネルと他の前記表示パネルとを、互いに異なる回転速度（回転停止を含む）でもって回転制御するものであり、
前記表示制御器は、前記他の表示パネルとは異なる回転速度でもって回転制御される前記一つもしくは複数の表示パネルにおいてその表示パネルの各回転位置で表示される映像が、前記仮想映像を乱すことなくその一部を構成するように、各表示パネルの表示画面で表示する映像の表示制御を行うものである、
ことを特徴とする映像表示装置。
【請求項５】
請求項１ないし４のいずれかに記載の映像表示装置において、
前記回転制御器は、前記仮想映像が設定される一つないし複数の前記表示パネルと他の前記表示パネルとを、互いに異なる回転方向でもって回転制御するものであり、
前記表示制御器は、前記他の表示パネルとは異なる回転方向でもって回転制御される前記一つもしくは複数の表示パネルの表示画面においてその表示パネルの各回転位置で表示される映像が、前記仮想映像を乱すことなくその一部を構成するように、各表示パネルの表示画面で表示する映像の表示制御を行うものである、
ことを特徴とする映像表示装置。
【請求項６】
請求項１ないし５のいずれかに記載の映像表示装置において、
前記回転制御器は、各表示パネルの回転位置変位により形成される表示パネル全体の配置パターンが、予め設定しておいた変形パターンに沿って推移するように各表示パネルの回転制御を行うものであり、
前記表示制御器は、前記仮想映像が表示される一つもしくは複数の表示パネルの表示画面においてその表示パネルの各回転位置で表示される映像が、前記仮想映像を乱すことなくその一部を構成するように、各表示パネルの表示画面で表示する映像の表示制御を行うものである、
ことを特徴とする映像表示装置。
【発明の詳細な説明】
【技術分野】
【０００１】
本発明は、複数の表示パネルを有し、それらを回転動作させつつ互いに関連付けた状態で映像表示を実施する映像表示装置に関する。
【背景技術】
【０００２】
従来から、複数の表示パネルを並列配置して映像表示を実施する映像表示装置がある。
【０００３】
また、多角柱形状を有し、その側面それぞれが表示画面となった複数の表示パネルを並列配置したうえで、それらの表示パネルを表示画面と平行な回転軸に沿って回転変位させることで、画面前方に向く表示画面の組み合わせを変更し、これによって画面前方に向く表示画面の組み合わせにより構成される画像を種々変更する画像表示装置がある。（特許文献１参照）
【特許文献１】特表２００２−５４４５７１号公報
【発明の開示】
【発明が解決しようとする課題】
【０００４】
従来の映像表示装置は、比較的小さな表示画面を有する表示パネルを複数並列配置することで大画面表示を実現することはできるものの、その表示形態は複数の表示画面にわたって一つの映像を表示するという表示形態に過ぎない。これでは、視聴時に視聴者が受ける印象は、単に大画面表示を視聴したという程度のものにしか過ぎない。広告映像の表示等において求められる、一目見ただけでくぎ付けになるような深い印象を視聴者に与える特殊な映像表現を従来の技術において実現することは困難である。
【０００５】
特許文献１に示される従来技術は、表示画面を回転切り替えすることで、視聴者が受ける印象を若干ながら深くすることができるものの、この技術は、基本的に静止画像の表示切替を目的としたものであって、映像表示を実現したものでなく、やはり、一目見ただけでくぎ付けになるような印象を視聴者に与える特殊な映像表現を実現することは困難である
【課題を解決するための手段】
【０００６】
本発明の映像表示装置は、表示画面とこの表示画面の直交方向に沿う回転軸とを有する表示パネルと、前記表示パネルの前記回転軸を軸支するケースと、前記表示パネルを前記回転軸周りに回転させる回転機構と、前記表示パネルに表示する映像の表示制御を行う表示制御器と、前記回転機構の回転制御を行う回転制御器とを備える。前記表示パネルは複数設けられる。これら複数の表示パネルは、前記回転軸を互いに平行にしかつ前記表示画面を互いに同一方向に向けた状態で並列配置される。前記表示制御器は、一つもしくは複数の前記表示画面を覆う仮想映像を設定したうえで、これら一つもしくは複数の表示パネルの表示画面においてその表示パネルの各回転位置で表示される映像が、前記仮想映像を乱すことなくその一部を構成するように、各表示パネルの表示画面で表示する映像の表示制御を行う。
【０００７】
こうすることで、各表示パネルが回転しているにもかかわらず、仮想映像は乱れることなく、一つないし複数の表示パネル上に表示されることになるため、仮想映像を含めて表示パネル全体で表示される映像は印象深いものとなる。
【０００８】
本発明の好ましい実施の形態として次の構成がある。複数の前記表示パネルを、前記回転軸の軸方向から見たその回転軌跡が互いに重なりかつ前記回転軸の直交方向から見た前記回転軌跡が互いに重ならないように配置する。
【０００９】
こうすることで、視聴者からみて複数の表示パネルで表示される映像が重なるにもかかわらず、仮想映像に乱れが生じないので、仮想映像を含めて表示パネル全体で表示される映像はさらに印象深いものとなる。
【００１０】
本発明の好ましい実施の形態として次の構成がある。前記回転軸は、その周面に沿って環状電気接点が設けられる。前記ケースの回転軸軸支部にブラシ状電気接点が設けられる。そして、前記表示パネルの入出力端子を前記ブラシ状電気接点に電気接続したうえで、前記表示パネルの回転時、前記ブラシ状電気接点を前記環状電気接点に当接させることで、前記表示パネルとパネル外部との間で映像表示に関する各種信号の授受を行う。
こうすることで、前記表示パネルとパネル外部との間で各種制御信号の授受を行う信号線に捩れが生じなくなる。そのため、表示パネルを３６０°以上の回転角度でもって回転させることが可能となる。仮想映像に乱れが生じない状態で表示パネルに連続的な回転操作を実施できるので、仮想映像を含めて表示パネル全体で表示される映像はさらに印象深いものとなる。
【００１１】
本発明の好ましい実施の形態として、次の構成がある。前記回転制御器は、前記仮想映像が設定される他の前記表示パネルとを、互いに異なる回転速度（回転停止を含む）でもって回転制御する。前記表示制御器は、前記他の表示パネルとは異なる回転速度でもって回転制御される前記一つもしくは複数の表示パネルにおいてその表示パネルの各回転位置で表示される映像が、前記仮想映像を乱すことなくその一部を構成するように、各表示パネルの表示画面で表示する映像の表示制御を行う。
【００１２】
こうすることで、他の表示パネルとは異なる回転速度でもって回転制御される一つないし複数の表示パネルにおいて表示される仮想映像に乱れが生じないので、仮想映像を含めて表示パネル全体で表示される映像はさらに印象深いものとなる。
【００１３】
本発明の好ましい実施の形態として次の構成がある。前記回転制御器は、前記仮想映像が設定される一つないし複数の前記表示パネルと他の前記表示パネルとを、互いに異なる回転方向でもって回転制御する。前記表示制御器は、前記他の表示パネルとは異なる回転方向でもって回転制御される前記一つもしくは複数の表示パネルの表示画面においてその表示パネルの各回転位置で表示される映像が、前記仮想映像を乱すことなくその一部を構成するように、各表示パネルの表示画面で表示する映像の表示制御を行う。
【００１４】
こうすることで、他の表示パネルとは異なる回転方向でもって回転制御される一つないし複数の表示パネルにおいて表示される仮想映像に乱れが生じないので、仮映想像を含めて表示パネル全体で表示される映像はさらに印象深いものとなる。
【００１５】
本発明の好ましい実施の形態として次の構成がある。前記回転制御器は、各表示パネルの回転位置変位により形成される表示パネル全体の配置パターンが、予め設定しておいた変形パターンに沿って推移するように各表示パネルの回転制御を行う。前記表示制御器は、前記仮想映像が表示される一つもしくは複数の表示パネルの表示画面においてその表示パネルの各回転位置で表示される映像が、前記仮想映像を乱すことなくその一部を構成するように、各表示パネルの表示画面で表示する映像の表示制御を行う。
【００１６】
こうすることで、表示パネルの回転位置変位により形成される表示パネル全体の配置パターンが、予め設定しておいた変形パターンに沿って推移しながらも、一つないし複数の表示パネルにおいて表示される仮想映像に乱れが生じないので、仮想映像を含めて表示パネル全体で表示される映像はさらに印象深いものとなる。
【発明の効果】
【００１７】
本発明によれば、各表示パネルの回転動作を種々調整しながらも、一つないし複数の表示パネルの画面上に設定した仮想映像の映像に乱れが生じないので、仮想映像を含めて表示パネル全体で表示される映像は印象深いものとなる。
【発明を実施するための最良の形態】
【００１８】
図１は、本発明の最良の実施形態に係る映像表示装置の正面図であり、図２は、その側面図であり、図３は、その要部拡大図であり、図４はその構成を示すブロック図である。
【００１９】
本実施の形態の映像表示装置１は、複数枚の表示パネル２と、回転機構の一例であるモータ３と、映像再生装置４と、制御装置５とケース６とを備える。
【００２０】
本実施形態では、４枚の表示パネル２Ａ〜２Ｄを備える。表示パネル２Ａ〜２Ｄは、方形の表示画面２ａを有する。本実施形態では、長方形の表示画面２ａを有する表示パネル２Ａ〜２Ｄを備える。表示パネル２Ａ〜２Ｄはプラズマディスプレイパネルや液晶ディスプレイパネルといった平板形状をした表示パネルから構成されるのが好ましい。表示パネル２Ａ〜２Ｄは後述するように回転動作するため、パネルに対する視聴者の視点位置は回転によって連続的に変化する。そのため、表示パネル２Ａ〜２Ｄは、視点位置の変動によっても視野角特性が変動しにくいプラズマディスプレイパネルから構成するのがさらに好ましい。
【００２１】
表示パネル２Ａ〜２Ｄは回転軸７を有する。回転軸７は、表示パネル２Ａ〜２Ｄの表示画面２ａの裏面２ｂの中央位置に取り付けられる。回転軸７は、表示画面２ａに対して直交する方向に沿って、表示パネル２Ａ〜２Ｄの裏面２ｂから突出する。回転軸７は表示パネル２Ａ〜２Ｄに回転一体に取り付けられる。
【００２２】
表示パネル２Ａ〜２Ｄは、ケース６の一側面に軸支される。表示パネル２Ａ〜２Ｄは、回転軸７をケース６の側面からケース６内に挿入させた状態でケース６に取り付けられる。回転軸７は、ケース６に対して相対回転自在に軸支される。ケース６の内部に突出する回転軸７に従動ギア７ａが回転一体に取り付けられる。
【００２３】
モータ３は、表示パネル２Ａ〜２Ｄ毎に設けられる。以下、モータ３は、複数ある表示パネル２Ａ〜２Ｄに合わせて、モータ３Ａ〜３Ｄと称される。モータ３Ａ〜３Ｄはケース６内に収納配置される。モータ３Ａ〜３Ｄは各回転軸７の近傍に配置される。モータ３Ａ〜３Ｄの駆動軸３ａに駆動ギアが回転一体に取り付けられる。各駆動ギアと、各駆動ギア近傍に配置される従動ギア７ａとの間にはそれぞれ連動ベルト８が掛け渡される。これにより、回転軸７は駆動軸３ａに連動連結され、表示パネル２Ａ〜２Ｄはモータ３Ａ〜３Ｄによって回転駆動される。
【００２４】
次に表示パネル２Ａ〜２Ｄの配置の詳細が説明される。表示パネル２Ａ〜２Ｄは、回転軸７を互いに平行にしかつそれぞれの表示画面２ａを互いに同一方向に向けた状態でケース６の一側面に並列配置される。通常、表示パネル２Ａ〜２Ｄの回転軸７は、水平方向に配置され、表示パネル２Ａ〜２Ｄの各表示画面２ａは、垂直方向に配置される。しかしながら、この配置方向は任意に変更可能である。例えば、映像表示装置１を室内の天井部分に配置する場合には、表示パネル２Ａ〜２Ｄの回転軸７は垂直方向に配置され、表示パネル２Ａ〜２Ｄの各表示画面２ａは、水平方向に配置される。
【００２５】
表示パネル２Ａ〜２Ｄは、その基本位置が次のようになるように配置される。基本位置とは、モータ３Ａ〜３Ｄによって回転駆動される表示パネル２Ａ〜２Ｄの回転操作の基準となる回転位置をいう。基本位置において表示パネル２Ａ〜２Ｄは表示画面２ａと直交する前方視聴方向（図１の紙面と直交する前方方向）からみて、次のようになるように配置される。なお、以下の説明では図１の上下左右を基準にする。
・基本位置において、表示パネル２Ａ,２Ｃが横長配置され、表示パネル２Ｂ,２Ｄが縦長配置される。
・横長配置される表示パネル２Ａの右側短辺２ＡＳ１が縦長配置される表示パネル２Ｄの左側長辺２ＤＬ１の上端に接する。
・縦長配置される表示パネル２Ｄの下側短辺２ＤＳ１が横長配置される表示パネル２Ｃの上側長辺２ＣＬ１の右端に接する。
・横長配置される表示パネル２Ｃの左側短辺２ＡＳ１が縦長配置される表示パネル２Ｂの右側長辺２ＢＬ１の下端に接する。
・縦長配置される表示パネル２Ｂの上側短辺２ＤＳ１が横長配置表示パネル２Ａの下側長辺２ＡＬ１の左端に接する。
【００２６】
以上のようにして表示パネル２Ａ〜２Ｄが配置されることで、表示パネル２Ａ〜２Ｄ全体としては、基本位置において次の形状を有する矩形環状形状となる。表示パネル２Ａ〜２Ｄの長辺の長さと表示パネル２Ａ〜２Ｄの短辺の長さとを加算した長さを一辺とする正方形の外周形状と、表示パネル２Ａ〜２Ｄの長辺の長さから表示パネル２Ａ〜２Ｄの短辺の長さを減算した長さを一辺とする正方形の内周形状とを有する矩形環状形状を表示パネル２Ａ〜２Ｄは形成する。
【００２７】
モータ３Ａ〜３Ｄによってそれぞれ回転駆動される各表示パネル２Ａ〜２Ｄが上述したように配置されることで、それぞれの回転軌跡は、回転途中の幾つかの回転位置において、回転軸７の軸方向から見て互いに重なる。具体的には、基本位置において対角線の両端に位置するもの同士以外の表示パネル２Ａ〜２Ｄの回転軌跡が互いに重なる。表示パネル２Ａの回転軌跡に対しては、表示パネル２Ｂの回転軌跡と表示パネル２Ｄの回転軌跡とが重なる。表示パネル２Ｂの回転軌跡に対しては、表示パネル２Ｃの回転軌跡と表示パネル２Ａの回転軌跡とが重なる。表示パネル２Ｃの回転軌跡に対しては、表示パネル２Ｄの回転軌跡と表示パネル２Ｂの回転軌跡とが重なる。表示パネル２Ｄの回転軌跡に対しては、表示パネル２Ａの回転軌跡と表示パネル２Ｃの回転軌跡とが重なる。
【００２８】
回転駆動時、表示パネル２Ａ〜２Ｄどうしが互いに接触しないように、その配置位置は次のように設定される。図２に示されるように、表示パネル２Ａ〜２Ｄの基本位置において、対角線方向に対向して配置される表示パネル２Ａと表示パネル２Ｃとは、回転軌跡が互いに重ならないため、回転軸７の直交方向から見て表示画面２ａが同一平面に位置するように配置される。
【００２９】
同様に、対角線方向に対向して配置される表示パネル２Ｂと表示パネル２Ｄとは、回転軸７の直交方向から見て表示画面２ａが同一平面に位置するように配置される。
【００３０】
同一平面位置に配置された表示パネル２Ａ,２Ｃのグループと、表示パネル２Ｂ,２Ｄのグループとは、表示パネル２Ａ〜２Ｄの基本位置においてその長辺・短辺方向に対向して配置されるために、回転軌跡が互いに重なる。これらのパネルグループどうしは、回転軸７の軸方向に互いに若干ながら位置ずれして配置される。これにより、回転軌跡が互いに重なる表示パネル２Ａ〜２Ｄどうしであっても、その回転時に互いに接触しない。
【００３１】
なお、上記した表示パネル２Ａ〜２Ｄ間の位置ずれは、表示パネル２Ａ〜２Ｄに回転ぶれが生じたとしてもパネルどうしが接触しない程度（数ｍｍ程度）に設定される。これは、複数の表示パネル２Ａ〜２Ｄで表示される映像の間で、表示画面２ａの位置ずれにより生じる視聴上の違和感を最小限にするためになされる。
【００３２】
映像再生装置４と制御装置５とは、ケース６内部の底面に載置される。映像再生装置４と表示パネル２Ａ〜２Ｄとの間には、映像信号や映像制御信号等とを授受する信号ライン９が設けられる。信号ライン９は、回転軸７に設けられる回転接続器１０を介して回転している表示パネル２Ａ〜２Ｄと回転しない映像再生装置４との間を、信号ライン９に捩れを生じさせることなく電気接続される。
【００３３】
回転接続器１０は、図３に示されるように、表示パネル２Ａ〜２Ｄの回転軸７の先端に回転一体に嵌着された接続内筒１０ａと、接続内筒１０ａと同軸にその外側に設けられた接続外筒１０ｂとを備える。接続外筒１０ｂはケース６の内面に固定される。接続内筒１０ａと接続外筒１０ｂとの間には軸受１１が介装されており、接続内筒１０ａは軸受１１を介して接続外筒１０ｂに軸支される。これにより、接続内筒１０ａは、接続外筒１０ｂ（ケース６）に軸支された状態で回転軸７に連動して回転する。
【００３４】
接続内筒１０ａの周面には環状電気接点１２が設けられる。環状電気接点１２は、接続内筒１０ａの周面に沿って円環状に設けられる。環状電気接点１２は表示パネル２Ａ〜２Ｄの映像表示に関する各種信号の数に応じて複数設けられる。本実施形態では、５つの環状電気接点１２が接続内筒１０ａに設けられる。これら環状電気接点１２は、接続内筒１０ａの周面上において互いに離間して互いに電気的に絶縁された状態で配置される。
【００３５】
回転軸７にはその軸方向に沿って貫通孔７ｂが形成されており、信号ライン９の長手方向の一端を構成する複数本の信号線９ａが貫通孔７ｂに挿通配置される。信号線９ａの一端は表示パネル２Ａ〜２Ｄの入出力端子２ｃに電気接続される。信号線９ａの他端は、図示はしないが環状電気接点１２に電気接続される。信号線９ａは環状電気接点１２に対して一対一に対応して電気接続される。
【００３６】
接続外筒１０ｂの内面には複数のブラシ状電気接点１３が設けられる。これらブラシ状電気接点１３は、各環状電気接点１２に対向する位置に配置される。ブラシ状電気接点１３は、回転軸７の回転時において環状電気接点１２に摺接することで、常時環状電気接点１２に電気接続される。ブラシ状電気接点１３は外部接続端子１３ａを備える。外部接続端子１３ａは、信号ライン９の長手方向の他端を構成する複数本の信号線９ｂそれぞれに電気接続される。各信号線９ｂは映像再生装置４を構成する各映像再生器２０Ａ〜２０Ｄの入出力端子（図示省略）に電気接続される。
【００３７】
映像表示装置１では、回転接続器１０でもって信号線９ａと信号線９ｂとを分断しているので、表示パネル２Ａ〜２Ｄを３６０°以上の回転角度でもって回転動作させても、信号ライン９（信号線９ａ,信号線９ｂ）に捩れは生じない。
【００３８】
図４に映像表示装置１のシステム構成が示される。映像再生装置４は、各表示パネル２Ａ〜２Ｄに供給する映像信号を再生する複数の映像再生器２０Ａ〜２０Ｄを備える。映像再生器２０Ａ〜２０Ｄは、ハードディスクプレーヤの他、ＤＶＤディスクプレーヤやビデオテーププレーヤから構成される。以下の説明では、ハードディスクプレーヤから映像再生器２０Ａ〜２０Ｄから構成されるとして説明が行われる。
【００３９】
映像映像再生器２０Ａ〜２０Ｄは、表示パネル２Ａ〜２Ｄに一対一に対応して接続されており、それぞれの表示パネル２Ａ〜２Ｄに表示する映像データを格納したうえで表示制御器２１の制御に基づいて映像データを再生して対応する表示パネル２Ａ〜２Ｄに出力する。各映像再生器２０Ａ〜２０Ｄには、各表示パネル２Ａ〜２Ｄが回転しながら各パネル２Ａ〜２Ｄに表示される映像が組み合わさって各種の映像効果（後述する仮想映像の表示等）を生むべく構成された映像データが作製されたうえで各映像再生器２０Ａ〜２０Ｄに格納されている。
【００４０】
制御装置５は、表示制御器２１と回転制御器２２とシーケンサ２３とを備える。表示制御器２１は、映像再生器２０Ａ〜２０Ｄの表示制御信号を出力する。ここで表示制御は、モータ３Ａ〜３Ｄによる表示パネル２Ａ〜２Ｄの回転動作に連動して実施される。表示制御器２１は、映像再生器２０Ａ〜２０Ｄを互いに同期させた状態で表示制御する。回転制御器２２はモータ３Ａ〜３Ｄに対する回転動作の制御信号を出力する。回転制御器２２はモータ３Ａ〜３Ｄを互いに同期させた状態で動作制御する。シーケンサ２３は、回転制御器２２から供給される制御信号に基づいて出力制御用パルス信号を生成してモータ３Ａ〜３Ｄに供給する。
【００４１】
映像再生器２０Ａ〜２０Ｄの一つである映像再生器２０Ａには、音声アンプ２４とスピーカ２５とが接続される。音声アンプ２４は映像再生器２０Ａから出力される音声信号を増幅してスピーカ２５に供給する。スピーカ２５は、音声アンプ２４から供給される増幅音声信号を音響振動に変換する。音声信号は、映像再生器２Ａに格納される映像データに重畳して記録される。音声信号は、表示パネル２Ａ〜２Ｄに表示される映像の映像効果を高める音声が記録される。
【００４２】
映像表示装置１の映像表示動作が、図５〜図９を参照して説明される。ここでは、前述した基本位置から表示パネル２Ａ〜２Ｄをそれぞれ互いに同期させた状態で右回りに３６０°回転させながら表示を行う表示パターンを例にして説明される。以下の説明では、０°（基本位置）〜３６０°の回転領域を、第１〜第５の回転領域に分けて回転・表示制御を行う場合を例にして映像表示装置１の動作が説明される。表示パネル２Ａ〜２Ｄに実施する以下の回転・表示動作は、表示制御器２１と回転制御器２２との制御に基づいて映像再生器２０Ａ〜２０Ｄとモータ３Ａ〜３Ｄとにより実施される。
【００４３】
（第１の回転領域）
まず、基本位置（０°）である図５（ａ）の状態において、表示パネル２Ａ〜２Ｄにわたって矩形形状の仮想映像α１が設定される。そのうえで、表示パネル２Ａ,２Ｃの表示画面２ａ,２ａそれぞれに仮想映像α１の部分映像α１１,α１２が表示される。また、表示パネル２Ａ,２Ｃの表示画面２ａには、部分映像α１１,α１２の背景として個別の映像β１,β２が表示される。このとき、表示パネル２Ａ,２Ｃの表示画面２ａ,２ａに表示される部分映像α１１,α１２は、仮想映像α１の形状（矩形形状）を乱さないように各表示画面２ａ上に表示される。
【００４４】
表示パネル２Ｂ,２Ｄには、それぞれ仮想映像α１の部分映像は表示されない。表示パネル２Ｂ,２Ｄには、それぞれ個別の映像β３,β４が表示される。なお、図５（ａ）においては、仮想映像α１を認識しやすくするために、表示パネル２Ｂ,２Ｄの仮想映像α１（矩形）の枠に相当する位置には仮想線（二点鎖線）が引かれているが、実際にはこの仮想線は存在しない。なお、仮想映像α１の枠に相当する仮想線を各表示画面２ａ上に引くのは、他の図面においても同様に行われる。
【００４５】
表示パネル２Ａ〜２Ｄがそれぞれ互いに同期しながら、０°（基本位置）から約２１°同速回転して図５（ｂ）に示される状態になる。このとき、図５（ａ）〜図５（ｂ）の期間において、部分映像α１１,α１２は、引き続き表示パネル２Ａ,２Ｃに表示される。仮想映像α１は、表示パネル２Ａ〜２Ｄの回転に同期して回転する映像として予め設定されており、部分映像α１１,α１２は、仮想映像α１に順じた映像形態として映像再生器２０Ａ,２０Ｃにその映像データが格納されている。そのため、表示パネル２Ａ,２Ｃに表示される部分映像α１１,α１２は、表示パネル２Ａ,２Ｃの回転に同期した状態で同速回転する映像形態となって各表示画面２ａに表示される。このとき、表示パネル２Ａ,２Ｃに表示される映像β１,β２は、表示パネル２Ａ,２Ｃの回転とともに同速回転する映像形態で表示される。ただし、映像β１,β２は回転しない映像形態で表示されてもよい。
【００４６】
このとき、表示パネル２Ｂ,２Ｄに表示される映像β３,β４も、表示パネル２Ｂ,２Ｄの回転に同期して同速回転する映像形態で表示画面２ａに表示される。さらに、表示パネル２Ｂ,２Ｄには、映像β１,β２を背景にして仮想映像α１の部分映像α１３,α１４が表示される。部分映像α１３,α１４は、部分映像α１１,α１２と同様、表示パネル２Ａ,２Ｄの回転に同期した状態で同速回転する映像形態で表示画面２ａに表示される。なお、映像β３,β４も表示パネル２Ｂ,２Ｄの回転に同期した状態で回転する映像形態で表示される。
【００４７】
表示パネル２Ａ〜２Ｄがそれぞれ互いに同期しながら、基本位置から約４３°回転して図５（ｃ）に示される状態になる。このとき、図５（ｂ）〜図５（ｃ）の期間中において、表示パネル２Ａ,２Ｃでは、部分映像α１１,α１２と映像β１,β２との表示が終了し、替わって、それぞれ個別の映像β５,β６が表示される。映像β５,β６は、表示パネル２Ａ,２Ｃに同期して回転する映像形態で各表示画面２ａに表示されてもよいし、回転しない映像形態で表示されてもよい。
【００４８】
一方、表示パネル２Ｂ,２Ｄにおいては、仮想映像α１の部分映像α１３,α１４の表示が継続される。ただし、背景となる映像β３,β４の表示は終了し、替わって新たな映像β７,β８を背景にして部分映像α１３,α１４が表示される。部分映像α１３,α１４は、部分映像α１１,α１２と同様、表示パネル２Ａ〜２Ｄの回転に同期した状態で同速回転する映像形態で表示される。映像β７,β８も表示パネル２Ａ〜２Ｄの回転に同期した状態で回転する映像形態で表示される。ただし、映像β７,β８は回転しない映像形態で表示されてもよい。ここで、映像β７、β８は仮想映像α１を遮る形態で表示されることになり、これによってある種の映像効果が生まれ、視聴者に与える印象は深くなる。
【００４９】
表示パネル２Ａ〜２Ｄがそれぞれ互いに同期しながら、基本位置から約６５°回転して図５（ｄ）に示される状態になる。このとき、図５（ｃ）〜図５（ｄ）の期間中において、表示パネル２Ａ,２Ｃでは、映像β５,β６の表示が継続される。映像β５,β６は、表示パネル２Ａ,２Ｃに同期して回転する映像形態で表示画面２aに表示される。
【００５０】
一方、表示パネル２Ｂ,２Ｄにおいては、映像β７,β８を背景にした部分映像α１３,α１４の表示が継続される。部分映像α１３,α１４は、表示パネル２Ａ〜２Ｄの回転に同期した状態で回転する映像形態が継続される。映像β７,β８も回転する映像形態が継続される。ここで、映像β７,β８が仮想映像α１を遮る表示形態は継続される。
【００５１】
（第２の回転領域）
表示パネル２Ａ〜２Ｄが互いに同期しながら、０°（基本位置）から約８８°回転して図６（ａ）に示される状態になる。このとき、図５（ｄ）〜図６（ａ）の期間（約６６°〜約８８°）においては、仮想映像α１の部分映像α１３,４や映像β５〜β８の表示が終了し、それに替わって、次の映像表示が実施される。
【００５２】
まず、円弧状に配列された文字配列からなる仮想映像α２Ａ,α２Ｂと、円環模様と放射線模様とが組み合わされた仮想映像α３とが設定される。仮想映像α２Ａは、表示パネル２Ａ,２Ｄを覆う映像形態に設定される。仮想映像α２Ａは、画面上、その円弧形状に沿って右周りに曲線的に移動する映像形態として設定される。仮想映像α２Ｂは、表示パネル２Ｂ,２Ｃを覆う映像形態に設定される。仮想映像α２Ｂは、画面上、その円弧形状に沿って右周りに曲線的に移動する映像形態として設定される。仮想映像α３は表示パネル２Ａ〜２Ｄ全体を覆う映像形態に設定される。仮想映像α３は仮想映像α２Ａ,α２Ｂの背景として設定される。
【００５３】
仮想映像α２Ａ,α２Ｂ,α３が設定されたうえで、表示パネル２Ａ〜２Ｄの表示画面２ａそれぞれに仮想映像α３の部分映像α３１〜４が表示される。表示パネル２Ａ,２Ｄの表示画面２ａそれぞれに、仮想映像α２Ａの部分映像α２Ａ１,２が表示される。表示パネル２Ｂ,２Ｃの表示画面２ａそれぞれに、仮想映像α２Ｂの部分映像α２Ｂ１,２が表示される。部分映像α３１〜４は、部分映像α２Ａ１,２,α２Ｂ１,２の背景として表示される。
【００５４】
表示パネル２Ａ〜２Ｄの表示画面２ａに表示される部分映像α２Ａ１,２,α２Ｂ１,２,α３１〜４は、仮想映像α２Ａ,α２Ｂ,α３の形状（円環・放射線形状,円弧状文字配列形状）を乱さないように各表示画面２ａ上に表示される。
【００５５】
表示パネル２Ａ〜２Ｄがそれぞれ互いに同期しながら、０°から約１１０°同速回転して図６（ｂ）に示す状態になる。このとき、図６（ａ）〜図６（ｂ）の期間において、部分映像α３１〜４は、引き続き表示パネル２Ａ〜２Ｄに表示される。仮想映像α３は、放射線の中心点を中心にして回転する映像形態に設定されている。そのため、表示パネル２Ａ〜２Ｄに表示される部分映像α３１〜４は、回転する映像形態で表示される。なお、仮想映像α３は回転しない映像形態で設定され、表示パネル２Ａ〜２Ｄに表示される部分映像α３１〜４が、回転しない映像形態で表示されてもよい。
【００５６】
このとき、仮想映像α２Ａ,α２Ｂは、表示パネル２Ａ〜２Ｄの回転とは関係なく、その円弧形状に沿って右周りに曲線的に移動する映像形態に設定されている。そのため、部分映像α２Ａ１,２,α２Ｂ１,２は、表示パネル２Ａ〜２Ｄの回転に影響されることなく、表示パネル２Ａ〜２Ｄの表示画面２ａで、その円弧形状に沿って右周りに直線的に移動する映像形態で表示される。
【００５７】
表示パネル２Ａ〜２Ｄがそれぞれ互いに同期しながら、０°から約１３２°回転して図６（ｃ）に示す状態になる。このとき、図６（ｂ）〜図６（ｃ）の期間において、部分映像α３１〜４は、引き続き表示パネル２Ａ〜２Ｄに表示される。仮想映像α３は、放射線の中心点を中心にして回転する映像形態に設定されている。そのため、表示パネル２Ａ〜２Ｄに表示される部分映像α３１〜４は、回転する映像形態で表示される。
【００５８】
このとき、仮想映像α２Ａ,α２Ｂは、表示パネル２Ａ〜２Ｄの回転とは関係なく、その円弧形状に沿って右周りに曲線的に移動する映像形態に設定されている。そのため、部分映像α２Ａ１,２,α２Ｂ１,２は、表示パネル２Ａ〜２Ｄの回転に影響されることなく、表示パネル２Ａ〜２Ｄの表示画面２ａで右周りに曲線的に移動する映像形態で表示される。なお、仮想映像α２Ａが曲線的な移動を継続することで、図６（ｃ）に示される状態において表示パネル２Ｄの表示画面２ａでは、部分映像２Ａ２は画面外に移動することになるためその表示は行われない。
【００５９】
表示パネル２Ａ〜２Ｄがそれぞれ互いに同期しながら、０°から約１５５°回転して図６（ｄ）に示される状態になる。このとき、図６（ｃ）〜図６（ｄ）の期間において、部分映像α３１〜４は、引き続き表示パネル２Ａ〜２Ｄに表示される。仮想映像α３は、表示パネル２Ａ〜２Ｄに同期して、放射線の中心点を中心にして回転する映像形態に設定されている。そのため、表示パネル２Ａ〜２Ｄに表示される部分映像α３１〜４は、回転する映像形態として引き続き表示される。
【００６０】
このとき、仮想映像α２Ａ,α２Ｂは、表示パネル２Ａ〜２Ｄの回転とは関係なく、その円弧形状に沿って右周りに曲線的に移動する映像形態に設定されている。そのため、部分映像α２Ａ１,２,α２Ｂ１,２は、表示パネル２Ａ〜２Ｄの回転に影響されることなく、表示パネル２Ａ〜２Ｄの表示画面２ａで右周りに曲線的に移動する映像形態で表示される。なお、仮想映像α２Ａ,α２Ｂが回転を継続することで、図６（ｄ）に示される状態において表示パネル２Ｂ,２Ｄの表示画面２ａでは、部分映像２Ａ１,２Ｂ２はは画面外に移動することになるためその表示は行われない。
【００６１】
（第３の回転領域）
表示パネル２Ａ〜２Ｄが互いに同期しながら、０°（基本位置）から約１７７°回転して図７（ａ）に示される状態になる。このとき、図６（ｄ）〜図７（ａ）の期間（約１５５°〜約１７７°）においては、文字列形状の仮想映像α２Ａ,α２Ｂの部分映像α２Ａ１,α２Ｂ２や円環・放射線形状の仮想映像α３の部分映像α３１〜４の表示が終了し、それに替わって、次の映像表示が実施される。
【００６２】
まず、円環形状からなる仮想映像α４が設定される。仮想映像α４は、表示パネル２Ａ〜２Ｄ全体を覆う形態に設定される。仮想映像α４は回転しない映像形態に設定される。
【００６３】
図７（ａ）に示されるように、表示パネル２Ａ〜２Ｄが基本位置（０°）から１７７°回転した位置になると、表示パネル２Ａ,２Ｂの表示画面２ａそれぞれに仮想映像α４の部分映像α４１,２が表示される。また、表示パネル２Ａ,２Ｃの表示画面２ａには、部分映像α４１,α４２の背景として個別の映像β９,β１０が表示される。このとき、表示パネル２Ａ,２Ｃの表示画面２ａ,２ａに表示される部分映像α１１,α１２は、仮想映像α１の形状（円環形状）を乱さないように表示画面２ａ上に表示される。
【００６４】
表示パネル２Ｂ,２Ｄには、それぞれ仮想映像α４の部分映像は表示されない。表示パネル２Ｂ,２Ｄには、それぞれ個別の映像β１１,β１２が表示される。なお、図７（ａ）においては、仮想映像α４を認識しやすくするために、表示パネル２Ｂ,２Ｄの仮想映像α４（円環）の枠に相当する位置には仮想線（二点鎖線）が引かれているが、実際にはこの仮想線は存在しない。なお、仮想映像α４の枠に相当する仮想線を各表示画面２ａ上に引くのは、他の図面においても同様に行われる。
【００６５】
表示パネル２Ｂ,２Ｄは、０°（基本位置）から約１８０°回転すると、回転を停止する。一方、表示パネル２Ａ,２Ｃは、０°（基本位置）から約１８０°回転した後も、互いに同期しながら同速回転を継続する。そして、表示パネル２Ａ,２Ｃが、０°（基本位置）から約２０１°回転して図７（ｂ）に示される状態になる。このとき、図７（ａ）〜図７（ｂ）の期間において、部分映像α４１,α４２は、引き続き表示パネル２Ａ,２Ｃに表示される。このとき、仮想映像α４は、回転しない映像形態に設定されている。そのため、表示パネル２Ａ,２Ｃに表示される部分映像α４１,α４２は、表示パネル２Ａ,２Ｃの回転に関係なく回転しない映像形態を維持した映像として表示される。このとき、表示パネル２Ａ,２Ｃに表示される映像β９,β１０も回転しない映像形態で表示される。ただし、映像β９,β１０は回転する映像形態で表示されてもよい。
【００６６】
このとき、表示パネル２Ｂ,２Ｄは、基本位置から約１８０°回転した位置で回転を停止し、表示パネル２Ｂ,２Ｄに表示される映像β１１,β１２も、表示パネル２Ｂ,２Ｄの表示画面２ａ上に、回転しない映像形態で表示される。
【００６７】
表示パネル２Ａ,２Ｃがそれぞれ互いに同期しながら、基本位置から約２２４°同速回転して図７（ｃ）に示される状態になる。このとき、表示パネル２Ｂ,２Ｄは回転を停止した状態が維持される。
【００６８】
図７（ｂ）〜図７（ｃ）の期間において、部分映像α４１,α４２と映像β９,β１０は、引き続き表示パネル２Ａ,２Ｃに表示される。このとき、仮想映像α４は、表示パネル２Ａ〜２Ｄの回転とは関係なく回転しない状態を維持する映像形態に設定されている。そのため、表示パネル２Ａ,２Ｃに表示される部分映像α４１,α４２は、表示パネル２Ａ,２Ｃの回転とは関係なく、回転しない映像形態で表示される。このとき、表示パネル２Ａ,２Ｃに表示される映像β９,β１０は、表示パネル２Ａ,２Ｃの回転とともに映像が回転する映像形態で表示される。ただし、映像β９,β１０は回転しない映像形態で表示されてもよい。
【００６９】
一方、回転停止状態の表示パネル２Ｂ,２Ｄでは、図７（ｂ）〜図７（ｃ）の期間中に、映像β１１,β１２の表示を終了し、替わって、仮想映像α４の一部を構成する部分映像α４３,α４４と、映像β１３,β１４との表示が開始される。映像β１３,β１４は、部分映像α４３,α４４の背景として表示される。
【００７０】
表示パネル２Ａ,２Ｃがそれぞれ互いに同期しながら、基本位置から約２４６°同速回転して図７（ｄ）に示される状態になる。このとき、表示パネル２Ｂ,２Ｄは回転を停止した状態が維持される。
【００７１】
図７（ｃ）〜図７（ｄ）の期間において、部分映像α４３,α４４と映像β１３,β１４とは、引き続き回転停止状態の表示パネル２Ｂ,２Ｄに表示される。このとき、仮想映像α４は、回転しない映像形態を継続するように設定されている。そのため、表示パネル２Ｂ,２Ｄに表示される部分映像α４３,α４４は回転しない映像形態で表示される。このとき、表示パネル２Ｂ,２Ｄに表示される映像β１３,β１４も、回転しない映像形態で表示される。
【００７２】
一方、回転継続状態の表示パネル２Ａ,２Ｃでは、図７（ｃ）〜図７（ｄ）の期間中に、部分映像α４１,α４２,映像β９,β１０の表示を終了し、替わって、映像β１５,β１６の表示が開始される。映像β１５,β１６は、表示パネル２Ａ,２Ｃの回転に同期して回転する表示形態で表示されてもよいし、回転しない表示形態で表示されてもよい。
【００７３】
（第４の回転領域）
表示パネル２Ａ,２Ｃが回転を停止した状態で、表示パネル２Ａ,２Ｄが互いに同期しながら、０°（基本位置）から約２６８°回転して図８（ａ）に示される状態になる。すると、表示パネル２Ａ〜２Ｄは、全て縦長状態となって互いに平行な向きに配置される。このとき、図７（ｄ）〜図８（ａ）の期間（表示パネル２Ａ,２Ｃの回転角度約２４６°〜約２６８°）においては、円環形状の仮想映像α４の部分映像α４３,４や映像β１３〜β１６の表示が終了し、それに替わって、次の映像表示が実施される。
【００７４】
まず、直線状に配列された文字配列からなる仮想映像α５Ａ,α５Ｂと、同心円模様からなる仮想映像α６とが設定される。仮想映像α５Ａは、表示パネル２Ａ,２Ｂを覆う映像形態に設定される。仮想映像α２Ａは、画面上、上向きに直線移動する映像形態に設定される。仮想映像α５Ｂは、表示パネル２Ｃ,２Ｄを覆う映像形態に設定される。仮想映像α５Ｂは、画面上、下向きに直線移動する映像形態に設定される。仮想映像α６は表示パネル２Ａ〜２Ｄ全体を覆う映像形態に設定される。仮想映像α６は仮想映像α５Ａ,α５Ｂの背景として設定される。
【００７５】
以上の仮想映像の設定に基づいて表示パネル２Ａ〜２Ｄの表示画面２ａそれぞれに仮想映像α６の部分映像α６１〜４が表示される。表示パネル２Ａ,２Ｂの表示画面２ａそれぞれに、仮想映像α５Ａの部分映像α５Ａ１,２が表示される。表示パネル２Ｃ,２Ｄの表示画面２ａそれぞれに、仮想映像α５Ｂの部分映像α５Ｂ１,２が表示される。部分映像α６１〜４は、部分映像α５Ａ１,２,α５Ｂ１,２の背景として表示される。
【００７６】
このとき、表示パネル２Ａ〜２Ｄの表示画面２ａに表示される部分映像α５Ａ１,２,α５Ｂ１,２,α６１〜４は、仮想映像α５Ａ,α５Ｂ,α６の形状（直線状文字配列形状,同心円形状）を乱さないように各表示画面２ａ上に表示される。
【００７７】
表示パネル２Ｂ,２Ｄが回転動作を再開することで、表示パネル２Ａ,２Ｃがそれぞれ互いに同期しながら、基本位置（０°）から約２９０°同速回転し、表示パネル２Ｂ,２Ｄがそれぞれ互いに同期しながら、基本位置（０°）から約２０２°同速回転する。このとき、表示パネル２Ａ〜２Ｄは、同速回転し互いに平行な状態を維持する。すると、図８（ｂ）に示される状態になる。図８（ａ）〜図８（ｂ）の期間において、部分映像α６１〜４は、引き続き表示パネル２Ａ〜２Ｄに表示される。
【００７８】
このとき、仮想映像α５Ａ,α５Ｂは、表示パネル２Ａ〜２Ｄの回転とは関係なく、その直線状の文字配列形状に沿って上向きまたは下向きに直線移動する映像形態に設定されている。部分映像α５Ａ１,２,α５Ｂ１,２は、仮想映像α５Ａ,α５Ｂの映像形態に基づき表示パネル２Ａ〜２Ｄの回転に影響されることなく、仮想映像α５Ａ,α５Ｂ上でそれぞれ上向きまたは下向きに直線移動する映像形態で、表示パネル２Ａ〜２Ｄの表示画面２ａに表示される。
【００７９】
表示パネル２Ａ,２Ｃがそれぞれ互いに同期しながら、基本位置（０°）から約３１３°同速回転し、表示パネル２Ｂ,２Ｄがそれぞれ互いに同期しながら、基本位置（０°）から約２２５°同速回転する。このとき、表示パネル２Ａ〜２Ｄは、互いに平行な状態を維持しつつ回転する。すると、図８（ｃ）に示される状態になる。図８（ｂ）〜図８（ｃ）の期間において、部分映像α６１〜４は、引き続き表示パネル２Ａ〜２Ｄに表示される。
【００８０】
このとき、仮想映像α５Ａ,α５Ｂは、表示パネル２Ａ〜２Ｄの回転とは関係なく、その直線状文字配列形状に沿って上向き,または下向きに直線移動する映像形態に設定されている。部分映像α５Ａ１,２,α５Ｂ１,２は、仮想映像α５Ａ,α５Ｂの映像形態に基づき表示パネル２Ａ〜２Ｄの回転に影響されることなく、仮想映像α５Ａ,５Ｂ上において上向きまたは下向きに直線移動する映像形態で、表示パネル２Ａ〜２Ｄの表示画面２ａに表示される。
【００８１】
表示パネル２Ａ,２Ｃがそれぞれ互いに同期しながら、基本位置（０°）から約３３５°同速回転し、表示パネル２Ｂ,２Ｄがそれぞれ互いに同期しながら、基本位置（０°）から約２４７°同速回転する。表示パネル２Ａ〜２Ｄはそれぞれ互いに同期しながら回転する。表示パネル２Ａ〜２Ｄは、互いに平行な状態を維持しつつ回転する。すると、図８（ｄ）に示される状態になる。図８（ｃ）〜図８（ｄ）の期間において、部分映像α６１〜４は、引き続き表示パネル２Ａ〜２Ｄに表示される。
【００８２】
このとき、仮想映像α５Ａ,α５Ｂは、表示パネル２Ａ〜２Ｄの回転とは関係なく、その直線形状に沿って上向き,または下向きに直線移動する映像形態に設定されている。部分映像α５Ａ１,２,α５Ｂ１,２は、仮想映像α５Ａ,α５Ｂの映像形態に基づき表示パネル２Ａ〜２Ｄの回転に影響されることなく、仮想映像α５Ａ,５Ｂ上において上向きまたは下向きに直線移動する映像形態で表示パネル２Ａ〜２Ｄの表示画面２ａに表示される。
【００８３】
（第５の回転領域）
表示パネル２Ａ,２Ｃが互いに同期しながら、０°（基本位置）から約３５７°同速回転し、表示パネル２Ｂ,２Ｄが互いに同期しながら、０°（基本位置）から約２６９°同速回転する。すると、図９（ａ）に示される状態になる。このとき、図８（ｄ）〜図９（ａ）の期間においては、同心円状の仮想映像α６の部分映像α６１〜４や文字配列形状の仮想映像α５Ａ,α５Ｂの部分映像α５Ａ１,２,α５Ｂ１,２の表示が終了し、それに替わって、次の映像表示が実施される。
【００８４】
表示パネル２Ａ〜２Ｄにわたって三角形状の仮想映像α７が設定される。そのうえで、図９（ａ）に示される回転位置において、表示パネル２Ａ,２Ｃの表示画面２ａ,２ａそれぞれに仮想映像α７の部分映像α７１,α７２が表示される。また、表示パネル２Ａ,２Ｃの表示画面２ａには、部分映像α７１,α７２の背景となる個別の映像β１７,β１８が表示される。このとき、表示パネル２Ａ,２Ｃの表示画面２ａ,２ａに表示される部分映像α７１,α７２は、仮想映像α１の形状（三角形状）を乱さないように表示画面２ａ上に表示される。
【００８５】
表示パネル２Ｂ,２Ｄには、それぞれ仮想映像α７の部分映像は表示されない。表示パネル２Ｂ,２Ｄには、それぞれ個別の映像β１９,β２０が表示される。なお、図５（ａ）においては、仮想映像α７を認識しやすくするために、表示パネル２Ｂ,２Ｄの仮想映像α７（三角形）の枠に相当する位置には仮想線（二点鎖線）が引かれているが、実際にはこの仮想線は存在しない。なお、仮想映像α７の枠に相当する仮想線を各表示画面２ａ上に引くのは、他の図面においても同様に行われる。
【００８６】
表示パネル２Ａ,２Ｃは、０°（基本位置）から３６０°同速回転すると、回転を停止する。一方、表示パネル２Ｂ,２Ｄは、互いに同期しながら、同速回転を継続する。そして、表示パネル２Ｂ,２Ｄが、０°（基本位置）から約２９２°回転して図９（ｂ）に示される状態になる。
【００８７】
図９（ａ）〜図９（ｂ）の期間において、部分映像α７１,α７２は、引き続き表示パネル２Ａ,２Ｃに表示される。このとき、仮想映像α７は、表示パネル２Ｂ,２Ｄの回転に同期して回転する映像形態に設定されている。そのため、表示パネル２Ａ,２Ｃに表示される部分映像α７１,α７２は、設定された仮想映像α７に基づき表示パネル２Ｂ,２Ｄの回転に同期した状態で回転する映像形態で各表示画面２ａに表示される。表示パネル２Ａ,２Ｃに表示される映像β１７,β１８も、表示パネル２Ｂ,２Ｄの回転とともに映像が回転する映像形態で表示される。ただし、映像β１７,β１８は回転しない映像形態で表示されてもよい。表示パネル２Ｂ,２Ｄに表示される映像β１９,β２０も、表示パネル２Ｂ,２Ｄの回転に同期して回転する映像して表示される。ただし、映像β１９,β２０も回転しない映像形態で表示されてもよい。
【００８８】
表示パネル２Ａ,２Ｃが回転停止を継続した状態で、表示パネル２Ｂ,２Ｄがそれぞれ互いに同期しながら、基本位置から約３１４°同速回転して図９（ｃ）に示される状態になる。このとき、図９（ｂ）〜図９（ｃ）の期間中において、表示パネル２Ｂ,２Ｄでは、仮想映像α７の部分映像α７３,α７４の表示が開始される。部分映像α７３,α７４は、映像β１９,β２０を背景にして表示される。このとき、仮想映像α７は、表示パネル２Ｂ,２Ｄに同期して回転する映像形態に設定されている。表示パネル２Ａ〜２Ｄに表示される部分映像α７１〜４は、設定された仮想映像α７に基づき表示パネル２Ｂ,２Ｄの回転に同期した状態で回転する映像形態で各表示画面２ａに表示される。また、このとき、表示パネル２Ａ,２Ｃにおいて、部分映像α７１,α７２の背景として表示される映像β１７,β１８の表示は終了し、替わって映像β２１,β２２が部分映像α７１,α７２の背景として表示パネル２Ａ,２Ｃに表示される。
【００８９】
表示パネル２Ａ,２Ｃが回転停止を継続した状態で、表示パネル２Ｂ,２Ｄがそれぞれ互いに同期しながら、基本位置から約３３６°同速回転して図９（ｄ）に示される状態になる。このとき、仮想映像α７は、表示パネル２Ｂ,２Ｄに同期して回転する映像形態に設定されている。表示パネル２Ａ〜２Ｄに表示される部分映像α７１〜４は、設定された仮想映像α７に基づき表示パネル２Ｂ,２Ｄの回転に同期した状態で回転する映像形態で各表示画面２ａに表示される。
【００９０】
最後に、表示パネル２Ａ,２Ｃが回転停止を継続した状態で、表示パネル２Ｂ,２Ｄがそれぞれ互いに同期しながら、基本位置から約３６０°回転すると、図５（ａ）に示される映像表示状態に戻る。映像表示装置１は、以上説明した一連の回転・表示動作を繰り返すことで、視聴者に印象深い映像表示を実施する。
【００９１】
以上説明した表示動作を実施するために、映像表示器２０Ａ〜２０Ｄには、上記回転動作に連動して仮想映像α１〜α７や映像β１〜β２２が連続的に表示される映像データが格納されている。映像再生器２０Ａ〜２０Ｄは、モータ３Ａ〜３Ｄの回転に同期した表示制御器２１の表示制御を受けて表示動作を行うことで、仮想映像α１〜α７や映像β１〜β２２に乱れが生じない映像動作を実施する。
【００９２】
なお、上述した動作説明では、表示パネル２Ａ〜２Ｄを同期させた状態で同速回転させていたが、互いに異なる回転速度で表示パネル２Ａ〜２Ｄを回転させながら各映像を表示させてもよく、そうすれば、映像表示が視聴者に与える印象はさらに深いものになる。
【００９３】
また、以上説明した映像表示装置１の回転・表示動作では、表示パネル２Ａ〜２Ｄは、同一方向に回転するとして説明したが、表示パネル２Ａ〜２Ｄの一部において、その回転領域の一部または全部の領域において、回転方向を他の表示パネル２Ａ〜２Ｄとは逆にした状態で、仮想映像を含む各種の映像の表示を実施してもよい。そうすれば、映像表示が視聴者に与える印象がさらに深いものとなる。
【産業上の利用可能性】
【００９４】
本発明は、複数の表示パネルを有し、それらを回転動作させつつ映像表示を実施する映像表示装置に利用することができる。
【図面の簡単な説明】
【００９５】
【図１】本発明の一実施の形態の映像表示装置の正面図である。
【図２】実施の形態の映像表示装置の一部切欠側面図である。
【図３】実施の形態の映像表示装置の要部拡大図である。
【図４】実施の形態の映像表示装置のシステム図である。
【図５】実施の形態の映像表示装置の表示動作の第１の段階を示すパネル配置図である。
【図６】実施の形態の映像表示装置の表示動作の第２の段階を示すパネル配置図である。
【図７】実施の形態の映像表示装置の表示動作の第３の段階を示すパネル配置図である。
【図８】実施の形態の映像表示装置の表示動作の第４の段階を示すパネル配置図である。
【図９】実施の形態の映像表示装置の表示動作の第５の段階を示すパネル配置図である。
【符号の説明】
【００９６】
１  映像表示装置          ２Ａ〜２Ｄ  表示パネル
２ａ  表示画面            ３Ａ〜３Ｄ  モータ
４  映像再生装置          ５  制御装置
６  ケース                ７  回転軸
９  信号ライン            １０  回転接続器
１０ａ  接続内筒          １０ｂ  接続外筒
１１  軸受                １２  環状電気接点
１３  ブラシ状電気接点    ２０Ａ〜２０Ｄ  映像再生器
２１  表示制御器          ２２  回転制御器
２３  シーケンサ          ２４  音声アンプ
２５  スピーカ
α１,α２Ａ,α２Ｂ,α３,α４α５Ａ,α５Ｂ,α６,α７  仮想映像
α１１〜４  部分映像          α２Ａ１,２  部分映像
α２Ｂ１,２  部分映像         α３１〜４  部分映像
α４１〜４  部分映像          α５Ａ１,２,α５Ｂ１,２  部分映像
α６１〜４  部分映像          α７１〜４  部分映像  
β１〜β２２  映像
【図１】
2005070580.tif 000003
【図２】
2005070580.tif 000004
【図３】
2005070580.tif 000005
【図４】
2005070580.tif 000006
【図５】
2005070580.tif 000007
【図６】
2005070580.tif 000008
【図７】
2005070580.tif 000009
【図８】
2005070580.tif 000010
【図９】
2005070580.tif 000011